(57)【要約】【課題】従来技術の捕虫シートであると、ビニタイでの結束が必要であったり、取付状態が何かにぶら下げて垂直状態で使用するしかなく限定された使用方法しかないという課題があった。【解決手段】少なくとも一方の面に粘着剤を塗布した湾曲自在な長尺シート１ａ、１ｂからなり、長尺シート１ａ、１ｂの長手方向の一方の端部に３つ以上の孔２ａ、２ｂを空け、シート短手方向に並ぶ両側２つの孔２ａ、２ａ間に曲線部を有して連通するように形成された第１切り込み３と、第１切り込み３によって形成される挿入部４と、長尺シート１の長手方向の他方の端部に１つの孔５を空けるとともに、シート短手方向に設けた第２切り込み６とを有し、挿入部４は、長尺シート１を湾曲させて第２切り込み６へ挿入して係止可能な形状である害虫及び小動物捕獲シートによって解決する。【選択図】  図１
2010200672.tif 000002
【特許請求の範囲】
【請求項１】
少なくとも一方の面に粘着剤を塗布した湾曲自在な長尺シートからなり、
長尺シートの長手方向の一方の端部に３つ以上の孔を空け、シート短手方向に並ぶ両側２つの孔間に曲線部を有して連通するように形成された第１切り込みと、
第１切り込みによって形成される挿入部と、
長尺シートの長手方向の他方の端部に１つの孔を空けるとともに、シート短手方向に設けた第２切り込みとを有し、
挿入部は、長尺シートを湾曲させて第２切り込みへ挿入して係止可能な形状であることを特徴とする害虫及び小動物捕獲シート。
【請求項２】
長尺シートが、両面に粘着剤を塗布した長尺シートである請求項１に記載の害虫及び小動物捕獲シート。
【請求項３】
長尺シートが、片面に粘着剤を塗布し、その裏面はシリコン樹脂処理をした面からなる長尺シートである請求項１に記載の害虫及び小動物捕獲シート。
【請求項４】
長尺シートが、挿入部を長尺シートを湾曲させて第２切り込みへ挿入して係止した状態のとき、一方の端部の真ん中の孔と他方の端部の１つの孔が合致するような位置に設けられた請求項１又は請求項２又は請求項３に記載の害虫及び小動物捕獲シート。
【発明の詳細な説明】
【技術分野】
【０００１】
この発明は、ハウス栽培等における野菜類、花卉類の栽培時や、野外の果実用樹木類の栽培における新芽発生時に付着するアブラムシ、コナジラミ、スリップス、ハモグリバエ、ヨコバエ等の害虫及び野ねずみ等の小動物、又家屋、飲食店舗などにおいてハエやゴキブリ等の害虫及び家ねずみ等の小動物を捕獲する害虫及び小動物捕獲シートに関する。
【背景技術】
【０００２】
近年ハウス栽培の野菜類、花卉類の栽培では無農薬、減農薬という栽培方法によって、定植後に若芽が伸長し始めるときに、その若い芽や葉にアブラムシ、コナジラミ、スリップス、ハモグリバエ、ヨコバエ等の害虫が付着して大発生する場合がある。同様に果実用樹木類の栽培、特に無農薬、減農薬の栽培方法でもアブラムシやヨコバエなどの害虫が発生する場合がある。
【０００３】
このような状態を防ぐ為に栽培農家は、栽培ハウスや栽培果樹園に多数の捕虫用シートを吊り下げたりして害虫を接着させて捕虫することが知られていた。
【０００４】
このような栽培ハウスや、栽培果樹園に設置する捕虫シートとしては、ほぼ長方形の合成樹脂シートからなり両面又は片面に捕虫用接着剤を塗布し、長方形の一端近傍に孔を空け、その孔に紐状体であるビニタイを通して、ビニタイによって栽培ハウス内の適宜高さの水平状ポールなどにぶら下げることによって設置していた（従来技術１）。
【０００５】
又、図８に示すようにほぼ長方形の合成樹脂シートからなり両面又は片面に捕虫用接着剤を塗布し、長方形の一端近傍に２つの孔１００、１００を開け、その２つの孔１００、１００を連通する曲線状のカット１０１を設けている捕虫シート（従来技術２）が知られていた。従来技術２に開示されている捕虫シートは、曲線状のカット１０１に設置されている水平状のポール１０２等に引っ掛けて、水平状のポール１０２を２つの孔１００、１００に導く作用をしている。また、従来技術２の捕虫シートは、フックや紐等に引っ掛けて吊す場合の孔１０３が、長手方向の両端部に設けられている。
【発明の概要】
【発明が解決しようとする課題】
【０００６】
従来技術１のような捕虫シートであると、高い場所にビニタイ（ビニル樹脂等で形成される紐状体）で一つ一つ結束する必要があり、長時間の作業が困難である課題があった。特に高齢者の比率が高い農作業者にとっては作業を長時間続けることは困難であった。
【０００７】
また、従来技術２のような捕虫シートでも、ビニタイは必要ないためシートを水平状ポール１０２等に取り付ける作業時間は短縮されるが、取付場所は水平状ポール１０２や、シート長手方向の両端部に中央に設けられるどちらかの孔１０３に引っ掛けるフックや鉤状体に限定される課題があった。また。従来技術２の捕虫シートは、取付状態が従来技術１と同じで何かにぶら下げて垂直状態で使用するしかなく限定された使用方法しかないという課題があった。
【０００８】
また、栽培ハウスなどにおいて、作物が初期段階の苗木状態のときは苗床に近い場所に捕獲シートを設置する方が効率よく害虫を捕獲でき望ましいが、従来技術１や従来技術２では、土の表面に設置しにくく作業が難しい課題があった。
【課題を解決するための手段】
【０００９】
上記課題を解決するために、少なくとも一方の面に粘着剤を塗布した湾曲自在な長尺シートからなり、
長尺シートの長手方向の一方の端部に３つ以上の孔を空け、シート短手方向に並ぶ両側２つの孔間に曲線部を有して連通するように形成された第１切り込みと、
第１切り込みによって形成される挿入部と、
長尺シートの長手方向の他方の端部に１つの孔を空けるとともに、シート短手方向に設けた第２切り込みとを有し、
挿入部は、長尺シートを湾曲させて第２切り込みへ挿入して係止可能な形状であることを特徴とする害虫及び小動物捕獲シートを提案する。
【００１０】
また、長尺シートが、両面に粘着剤を塗布した長尺シートである０００９欄に記載の害虫及び小動物捕獲シートを提案する。
【００１１】
更に、長尺シートが、片面に粘着剤を塗布し、その裏面はシリコン樹脂処理をした面からなる長尺シートである０００９欄に記載の害虫及び小動物捕獲シートを提案する。
【００１２】
更に又、長尺シートが、挿入部を長尺シートを湾曲させて第２切り込みへ挿入して係止した状態のとき、一方の端部の真ん中の孔と他方の端部の１つの孔が合致するような位置に設けられた０００９欄又は００１０欄又は００１１欄に記載の害虫及び小動物捕獲シートを提案する。
【発明の効果】
【００１３】
この発明によれば、一枚の粘着剤シートによって、吊り下げ状態で使用したり、垂直状ポールに長手方向の両端部に設けられた孔を通して「帆掛け」状態で使用したりすることができるとともに、長尺シートを湾曲して挿入部を第２切り込みへ挿入して係止した形状（以下ドーム型という）で使用することができるため、使用場所、使用状態を従来と比べ多様化することができる効果がある。
【００１４】
この発明は、ドーム型形状とすることによって、従来はビニタイを使わない場合、孔が細いワイヤーや紐にしか入らないため使用出来なかったが、太いポールや枝、支柱などに掛けることができる。
【００１５】
また、栽培ハウスなどにおける使用について、作物が初期段階の苗木状態のときは苗床に近い場所に捕獲シートを設置する方が望ましいが、この発明では図３に示すようにドーム型とし長辺を上下として立てて土の表面に直に置いて使用することが出来るため、効率よく害虫を捕獲できる。
【００１６】
更に、図６及び図７に示すように害虫及び小動物捕獲シートを長手方向へ２枚以上連結してドーム型や吊り下げ型として使用出来るため、ドーム型の大きさを容易に変えることが出来、野ねずみなどの小動物用の捕獲シートとして様々な場所に適応できる。
【００１７】
片面のみ粘着剤が着いているシートの場合、例えば内周面のみに粘着剤があるようにすると外周面には粘着シートがないので人が触っても着かないため、図３や図４の状態で人の出入りの多い場所や通行があるところなどに置くことが出来る。更に内周面のみに粘着剤があり外周面には粘着シートがないドーム型を図５のようにして置くと高さを隙間に合わせて凹ませることができ、幅の違う様々な隙間に挟み込んで、ゴキブリ捕獲用に使用することが出来る。
【００１８】
また、片面のみ粘着剤が着いているシートの場合、虫の種類や数を調査する調査用に使用した後、従来は粘着面にラップ等の保護フィルムを被せて個々のシートを管理していたが、この発明のように裏面がシリコン樹脂処理をした面であると、そのまま重ねて持ち帰ることができるため調査作業が従来と比べ迅速に行える効果がある。
【図面の簡単な説明】
【００１９】
【図１】この発明の実施の形態である害虫及び小動物捕獲シートの正面図
【図２】この発明の実施の形態である害虫及び小動物捕獲シートをドーム型として組み立てる途中の斜視図
【図３】この発明の実施の形態である害虫及び小動物捕獲シート１枚を使用してドーム型とした使用形態を示す斜視図
【図４】同じくこの発明の実施の形態である害虫及び小動物捕獲シート１枚を使用してドーム型とし置き方が別の使用形態を示す斜視図
【図５】同じくこの発明の実施の形態である害虫及び小動物捕獲シート１枚を使用してドーム型とし置き方が別の使用形態を示す斜視図
【図６】この発明の実施の形態である害虫及び小動物捕獲シート２枚を使用してドーム型とした使用形態を示す斜視図
【図７】この発明の実施の形態である害虫及び小動物捕獲シート２枚を使用して吊り下げ型とした使用形態を示す斜視図
【図８】従来技術２である捕虫シートの正面図
【発明を実施するための形態】
【００２０】
この発明の実施の形態である害虫及び小動物捕獲シートについて、図１乃至図７に基づいて説明する。
【００２１】
この発明の実施の形態である害虫及び小動物捕獲シートは、少なくとも一方の面に粘着剤を塗布した湾曲自在な長尺シート１からなる。長尺シート１は、厚さ１ｍｍ以下程度であり、シリコン樹脂等の素材からなり、両面に粘着剤を塗布した長尺シート１ａ、及び片面に粘着剤を塗布し、その裏面はシリコン樹脂処理をした面からなる長尺シート１ｂの２つの実施形態がある。
【００２２】
長尺シート１は、長手方向の一方の端部に３つ以上、この実施形態では３つの孔２を空けており、シート短手方向に並ぶ両側２つの切り込み孔２ａ、２ａ、その間に中央孔２ｂが形成される。切り込み孔２ａ、２ａ間に連通し曲線部を有する長方形の３辺によって形成された第１切り込み３を切り込み孔２ａから中央側に設ける。第１切り込み３は、両側２つの孔２ａ、２ａに端部側から連通しており、第１切り込み２によって長尺シート１から舌状に折り曲げ可能な挿入部４が形成される。
【００２３】
長尺シート１の長手方向の他方の端部の中央に１つの孔５を空けるとともに、シート短手方向に設けた第２切り込み６とを形成する。第２切り込み部６は、長尺シート１の長手方向の他方の端部の辺と平行な方向に形成された直線状の切り込みである。第２切り込み部６は、その直線の長さをおおよそ２つの切り込み孔２ａと２ａの間の距離と同じ長さに形成する。
【００２４】
長尺シート１の両端部の中央に設ける中央孔２ｂと孔５は、挿入部４を長尺シート１を湾曲させて第２切り込み６へ挿入して係止した状態のとき、中央孔２ｂと孔５は合致するような位置に設けられている。
【００２５】
長尺シート１の１つの面、又は両面には、調査用升目７を適宜、例えば１つの升が５cm×５cmになるように縦横の升目用直線７を設けておく。
【００２６】
長尺シート１は、販売や搬送する場合、両面に粘着剤を塗布した長尺シート１ａを数枚、例えば１０枚積層させ、上下１枚ずつ片面に粘着剤を塗布し、その裏面はシリコン樹脂処理をした面からなる長尺シート１ｂを重ねて積層された上下面が粘着面でないようにする。
【００２７】
この発明の実施の形態である害虫及び小動物捕獲シート１ａ、１ｂは、使用方法としてフックなどの中央孔２ｂ又は孔５を引っ掛けることで吊り下げ型として使用することが出来る。また垂直状ポールや水平状ポールに、長手方向両端部の２つの孔である中央孔２ｂ又は孔５を通すことによって帆掛け型として設置することも可能である。
【００２８】
更に、図２に示すように挿入部４を長尺シート１ａ、１ｂを湾曲させて挿入部４を第２切り込み６へ挿入して係止させてドーム型として使用することができ、このドーム型では中央孔２ｂと孔５とが重なって合致し１つの孔となる。
【００２９】
このドーム型の設置方法としては、図３に示すように長辺を上下として立てて土等の平面に置いて使用する場合、図４に示すように結合部分と逆側の湾曲面を下にして置いたり、合致した中央孔２ｂと孔５を枝やフックに吊り下げて使用する場合、図５に示すように片面で平面に置いたり隙間に置いたりして使用する場合がある。
【００３０】
また、図６に示すように害虫及び小動物捕獲シートを長手方向へ２枚以上連結してドーム型として野外や栽培ハウスに立てて使用することも可能であり、図７に示すように長手方向に連結して長い捕獲シートとして使用することもできる。
【産業上の利用可能性】
【００３１】
この発明は、ハウス栽培等に置ける野菜類、花卉類の栽培時や、野外の果実用樹木類の栽培における新芽発生時に付着するアブラムシ、コナジラミ、スリップス、ハモグリバエ、ヨコバエ等の害虫及び野ねずみ等の小動物、又家屋、飲食店舗などにおいてハエやゴキブリ等の害虫及び家ねずみ等の小動物を捕獲する害虫及び小動物捕獲シートとして利用される。
【符号の説明】
【００３２】
１  長尺シート
１ａ 両面に粘着剤を塗布した長尺シート
１ｂ片面に粘着剤を塗布し、その裏面はシリコン樹脂処理をした面からなる長尺シート
２ａ  切り込み孔
２ｂ  中央孔
３  第１切り込み
４  挿入部
５  孔
６  第２切り込み
７  升目用直線  
【図１】
2010200672.tif 000003
【図２】
2010200672.tif 000004
【図３】
2010200672.tif 000005
【図４】
2010200672.tif 000006
【図５】
2010200672.tif 000007
【図６】
2010200672.tif 000008
【図７】
2010200672.tif 000009
【図８】
2010200672.tif 000010